(57)【要約】【課題】吸水性及び放湿性が高く、かつ薄く嵩張らず、皮脂もとることができる汚れ落としの優れたタオル生地体を提供する。【解決手段】パイル糸、地経糸及び地緯糸からなる織布のタオル生地において、タオル下地の地経糸及び地緯糸を綿糸で撚り合わせて、パイル部におけるパイル糸をレーヨンのセルローズ繊維を主体にする繊維を撚り合わせてダブルパイル状に構成された、横１４０〜４００ｍｍ、縦１４０〜１０００ｍｍの長方体、又正方体の形状にしたタオル状織布になっている汚れ落としの優れたタオル生地体である。【選択図】図１
0003206216.tif 000002
【実用新案登録請求の範囲】
【請求項１】
パイル糸、地経糸及び地緯糸からなる織布のタオル生地において、タオル下地を綿糸で撚り合わせた地経糸及び地緯糸を織り合わせて、パイル部におけるパイル糸をレーヨンのセルローズを主体にする糸を撚り合わせたレーヨン糸のダブルパイル状輪に構成された、横１４０〜４００ｍｍ、縦１４０〜１０００ｍｍの長方体、又正方体の形状にしたタオル状織布になっていることを特徴とする汚れ落としの優れたタオル生地体。
【請求項２】
パイル糸がセルローズの再生繊維のレーヨン糸であって、２本のパイル糸と生地の天然繊維の綿糸の２本の地経糸と地緯糸とを１組とし、前記パイル糸の左右に地経糸を配し、前記左右の地経糸と地緯糸とが綿の天然繊維であって、生地面上に再生セルロース繊維で撚り合わせたレーヨン糸でパイル状に編み合わせて構成され、パイル糸が全体糸の３０〜７０％を占めて、地経糸及び地緯糸のタオル生地に再生セルロース繊維のダブルパイル糸で織布生地に覆った状態で編製されていることを特徴とする請求項１に記載の汚れ落としの優れたタオル生地体。
【請求項３】
パイル糸は、再生セルロース繊維がキュプラである前記超極細レーヨン系繊維の太さが、束状１０〜１５ミクロンの単糸繊度０．１〜１．０デニールであって、織布生地のタオル生地に前記単糸の集束として２００〜５００ミクロンの太さの糸束を０．５〜２ｍｍの高さの輪状パイルでダブル状態にしていることを特徴とする請求項１、又は請求項２に記載の汚れ落としの優れたタオル生地体。
【請求項４】
横１４０〜４００ｍｍ、縦１４０〜９００ｍｍの長方体、又正方体は、縁取りとして３〜７ｍｍの幅にして、縁取りにはウール性状にした特殊ナイロン糸、又はポリエステル糸で括ったものであり、繊維色としてはブルー系、ピンク系、バイオレット系、ホワイト系、グリーン系、イエロー系、レッド系の濃淡色であることを特徴とする請求項１〜請求項３のいずれかに記載の汚れ落としの優れたタオル生地体。
【請求項５】
パイル糸が地経糸と地緯糸で交差したタオル生地組織の地経糸に係止され、生地表面と裏面にパイル糸がダブル状の二重状態に突出し、地経糸と地緯糸で交差したタオル生地組織の地経糸から突出したパイル輪の長さが２〜５ｍｍである２本のダブルパイル糸の構成糸束において、構成するパイル糸の構成糸束に抗菌・防臭・消臭などの衛生機能が付加された機能性繊維から成るレーヨン糸を用い、レーヨン糸における繊維の混紡率が８０％以上であることを特徴とする請求項１〜請求項４のいずれかに記載の汚れ落としの優れたタオル生地体。
【請求項６】
二本パイル糸のダブルパイル組織で編織されたタオル地であって、綿繊維の織布より突出するパイルの長さと太さで、同一、又は異形のパイル形状であって、異形の場合には太いパイル、又は長パイルの１列もしくは数列おきに細いパイル、又は短パイルが存するように交互に配列されるとともに、太いパイル、又は長パイル糸が柔軟性のある繊維糸、細いパイル、又は短パイル糸が、太いパイル、又は長パイル糸よりも保形性のある形状のパイル糸よりなることを特徴とする請求項１〜請求項５のいずれかに記載の汚れ落としの優れたタオル生地体。
【考案の詳細な説明】
【技術分野】
【０００１】本考案は、タオル生地で構成される汚れ落としの優れたタオル生地体に関するものであり、特にパイル糸が超極細であってダブルでのレーヨン製パイル糸の撚糸で構成される肌に優しい、吸湿性、放湿性の高い、汚れ落としの優れたタオル体に関する。
【背景技術】
【０００２】吸水性及び放湿性が高く、かつ薄く嵩張らず、皮脂もとることができるタオルハンカチを提供するために、パイル糸、地経糸及び地緯糸からなる織布生地であって、前記パイル糸が合成繊維と天然繊維を撚り合わせて構成されるタオルハンカチであり、特に前記パイル糸を構成する前記合成繊維が超極細ポリエステル系繊維で、天然繊維が綿糸で構成され、前記地経糸及び地緯糸が再生セルロースで構成されたタオルハンカチが提案されている（特許文献１参照）。【０００３】短いパイル長でも、パイルが抜けず、尚且つ、抗菌・防臭・消臭などの衛生機能が付加された機能性繊維をパイル糸として用いた両面カットパイル織物を実現させ、タテ糸とヨコ糸が交差した地組織から突出したパイル長が５ｍｍ以下であるタオルおよびハンカチ用途の両面カットパイル織物において、両面カットパイル織物を構成するパイル糸の構成糸に、綿繊維と、抗菌・防臭・消臭などの衛生機能が付加された機能性繊維から成る混紡糸を用い、この混紡糸における綿繊維の混紡率を２０％以上にしたタオルを提案している（特許文献２参照）。【０００４】リバーシブル使用においても表裏から紋様が正像として識別され使い勝手や高級感の向上とコスト低減を図るために、第１両面パイルタオル地と第２両面パイルタオル地を結合経糸により積層状態に一体化してなり、第１両面パイルタオル地と第２両面パイルタオル地にそれぞれの表面層側から正像として識別される凹凸紋様で織成されるものが提案されている（特許文献３参照）。【０００５】  ソフトで肌にやさしい触感を確保して、しかもパイル立性や保形性さらには復元性に優れ、通気性や吸湿性および汗等の発散性を良好に発揮できるタオル地を得ることにおいて、片面パイル組織もしくは両面パイル組織で織成されたタオル地であり、基布より突出するパイルを長パイルと短パイルの２種にして、長パイルの１列もしくは数列おきに短パイルが存するように交互に配列するとともに、長パイル糸に柔軟性のある繊維糸、短パイル糸が長パイル糸よりも保形性のある繊維糸を用いて構成されるものを提案している（特許文献４参照）。【０００６】レーヨン糸を主体にしたダブルパイル状のタオル生地は今までなく、しかも抗菌・防臭・消臭などの衛生機能をもって、吸水性及び放湿性の高い、かつ薄く嵩張らない、さらには皮脂もとることができるタオル生地体は今までに存在していなかった。
【先行技術文献】
【特許文献】
【０００７】
【特許文献１】特開２００５−０５２２０１号公報
【特許文献２】特開２０１４−２５１６９号公報
【特許文献３】特開２０１０−６５３５２号公報
【特許文献４】特開２０００−１７００５６号公報
【考案の概要】
【考案が解決しようとする課題】
【０００８】従来、汗や汚れ等の払拭のために所持、携帯されるハンカチ（ハンカチーフ、タオル、フキン等）は、吸水性の高い綿製の布帛や高級感のある絹製の布帛などが多く、近年は、小型のパイル生地の布帛で吸水性に優れたタオル生地も広く使われている。しかし、綿製のハンカチは、吸水性は高いが放湿性が低いため、一度使用して吸水してしまうとなかなか乾かない。また、絹製のハンカチは、肌触りは良いものの、吸水性は低く、皺になりやすい。そして、パイル生地のタオル、ハンカチは、小型に形成されているとはいえ、全体に厚く嵩張るため携帯に適しているとは言えない。【０００９】一方、上記各種タオル、ハンカチは、汗や汚れを払拭する効果を有するが、顔等の皮脂を取る効果はなく、汗をハンカチで拭った後に、皮脂分、或は汚れ分が残ってしまうという問題があり、一般的に、ハンカチと一緒にあぶら取り紙を携帯して対処している。特に、女性など化粧している場合などは、ハンカチを使って顔の汗を拭う際に化粧が崩れ、さらにあぶら取紙で皮脂を取る際にも化粧が崩れてしまい、二重に化粧が崩れてしまったり、皮膚に傷をつけたりするという問題があった。【００１０】本考案は、前記課題の解決を目的とするものであって、また皮膚の毛穴の皮脂、或は古い角質をスムーズに落とすものはない。吸水性及び放湿性の高い、かつ薄く嵩張らない、さらには皮脂もとることができ、フイキンとして乾式落とすことができる特定の大きさのタオル生地体を提供しようとするものである。またレーヨンの特性として、レーヨンはセルロースそのものを再配列した。肌触りがなめらかである。吸湿、放湿性がよい。光沢があり美しい。また染料によく染まる。熱に強いことであって、タオル生地として肌さわりも絹に似ており、汚れを簡単に取ってしますことから常に使用されている。これを有効に活用することも一つの課題でもある。
【課題を解決するための手段】
【００１１】パイル糸、地経糸及び地緯糸からなる織布のタオル生地において、タオル下地を綿糸で撚り合わせた地経糸及び地緯糸を織り合わせて、パイル部におけるパイル糸をレーヨンのセルローズを主体にする糸を撚り合わせたレーヨン糸のダブルパイル状輪に構成された、横１４０〜４００ｍｍ、縦１４０〜１０００ｍｍの長方体、又正方体の形状にしたタオル状織布になっている汚れ落としの優れたタオル生地体である。【００１２】パイル糸がセルローズの再生繊維のレーヨン糸であって、２本のパイル糸と生地の天然繊維の綿糸の２本の地経糸と地緯糸とを１組とし、前記パイル糸の左右に地経糸を配し、前記左右の地経糸と地緯糸とが綿の天然繊維であって、生地面上に再生セルロース繊維で撚り合わせたレーヨン糸でパイル状に編み合わせて構成され、パイル糸が全体糸の３０〜７０％を占めて、地経糸及び地緯糸のタオル生地に再生セルロース繊維のダブルパイル糸で織布生地に覆った状態で編製されている。【００１３】パイル糸は、再生セルロース繊維がキュプラである前記超極細レーヨン系繊維の太さが、束状１０〜１５ミクロンの単糸繊度０．１〜１．０デニールであって、織布生地のタオル生地に前記単糸の集束として２００〜５００ミクロンの太さの糸束を０．５〜２ｍｍの高さの輪状パイルでダブル状態にしている。【００１４】横１４０〜４００ｍｍ、縦１４０〜９００ｍｍの長方体、又正方体は、縁取りとして３〜７ｍｍの幅にして、縁取りにはウール性状にした特殊ナイロン糸、又はポリエステル糸で括ったものであり、繊維色としてはブルー系、ピンク系、バイオレット系、ホワイト系、グリーン系、イエロー系、レッド系の濃淡色である。【００１５】  パイル糸が地経糸と地緯糸で交差したタオル生地組織の地経糸に係止され、生地表面と裏面にパイル糸がダブル状の二重状態に突出し、地経糸と地緯糸で交差したタオル生地組織の地経糸から突出したパイル輪の長さが２〜５ｍｍである２本のダブルパイル糸の構成糸において、構成するパイル糸の構成糸に抗菌・防臭・消臭などの衛生機能が付加された機能性繊維から成るレーヨン糸を用い、レーヨン糸における繊維の混紡率が８０％以上である。【００１６】二本パイル糸のダブルパイル組織で編織されたタオル地であって、綿繊維の織布より突出するパイルの長さと太さで、同一、又は異形のパイル形状であって、異形の場合には太いパイル、又は長パイルの１列もしくは数列おきに細いパイル、又は短パイルが存するように交互に配列されるとともに、太いパイル、又は長パイル糸が柔軟性のある繊維糸、細いパイル、又は短パイル糸が、太いパイル、又は長パイル糸よりも保形性のある形状のパイル糸よりなる。【００１７】パイル糸を構成するレーヨン糸繊維において、複数本、例えば１００〜１５０本を束ねて１束にすることにより、繊維間の微細な空隙部が形成され、前記空隙部に皮脂や汚れが吸着されるとともに、放湿性が高く、速乾性を有する構造となっている。撚り回数は、全体に綿糸の柔らかさが現出する程度の回数であればよく、例えば、１４４本で７５デニールの超微細ポリエステル繊維と６０番手の綿糸の場合には、１インチに１０〜１５回程度の撚りが好ましく、パイル糸全体としては３２．５番手���度の太さとなり好適である。【０００１８】地経糸及び地緯糸は綿繊維で構成される。パイル繊維は再生セルロース繊維としては、レーヨン、キュプラ、テンセルなどが挙げられるが、鮮明な発色性としなやかで絹のような光沢を持ち、さらに表面を構成する多孔質が吸湿性・吸水性を高め、さらには高い放湿性を有するキュプラで構成することが好ましい。
【考案の効果】
【００１９】本考案の汚れ落としの優れたタオル生地体によれば、パイル糸がレーヨン繊維を撚り合わせて構成される織布生地により構成されているので、ダブルパイル糸を構成するレーヨン繊維が肌に優しく、そしてダブルパイル糸を構成する合成繊維が生地の伸縮を防止するので、型くずれしにくい汚れ落としの優れたタオルとなる。
パイル糸自身がレーヨン繊維を撚り合わせて構成され、地経糸及び地緯糸が綿繊維からなる織布生地で構成されたものは、上記効果に加え、さらに高い吸水性と、しなやかさとを有するタオル生地となる。【００２０】前記天然繊維を綿糸編地の上に、ダブルパイル糸のセルロース繊維のレーヨンのキュプラで構成することにより、吸水性が高く、皮脂や汚れを吸着し、かつ、軽量で薄く、透明感・清潔感のあり、嵩張らずに、携帯できる肌に優しいタオル生地体とすることができる。【００２１】また、２輪のダブルパイル糸と地経糸と地緯糸を１組とし、前記パイル糸の再生セルロース繊維の地経糸を配することにより、滑りやすく、抜けやすい合成繊維を含んで構成されるダブルパイル糸を確実に配置することができるので、皮膚の毛穴の皮脂、或は古い角質をスムーズに落とし、吸水性及び放湿性の高い、かつ薄く嵩張らない、さらには皮脂もとることができ、フイキンとして乾式落とすことができる特定の大きさでのタオル生地体になる。
【図面の簡単な説明】
【００２２】
【図１】本考案のダブルパイルのタオル生地体の一部構造図
【図２】本考案のタオル生地体の二重パイル糸の状態の顕微鏡写真  Ａ：拡大  Ｂ：状態図
【図３】本考案のタオル生地体のレーヨン糸の顕微鏡写真  Ａ：７５倍  Ｂ：１５００倍  Ｃ：３５００倍
【図４】本考案のタオル生地体の綿糸の顕微鏡写真（１０００倍）
【図５】本考案のタオル生地体を使用した化粧落とし効果・状態の写真  Ａ：口紅を塗った手の甲の状態写真  Ｂ：本材料を使用してＡを１回拭き取った時の手の甲の状態写真  Ｃ：シルクを使用してＡを１回拭き取った時の手の甲の状態写真
【図６】本考案のタオル生地体を使用した肌の表面の効果の写真  Ａ：擦る前の肌の状態写真  Ｂ：本材料を使用してＡを１回擦った肌の状態写真  Ｃ：健康あかすり（キクロン社製）を使用してＡを１回擦った肌の状態写真
【図７】本考案のタオル生地体を使用したプラスッチックケースを擦った効果の写真  Ａ：擦る前の表面の状態写真  Ｂ：本材料を使用してＡを１回擦った表面の状態写真  Ｃ：ナイロンタオルを使用してＡを１回擦った表面の状態写真
【考案を実施するための形態】
【００２３】本考案のタオル生地体の実施の形態を、実施例の図によって説明する。
図１は本考案のタオル生地体の一部構造図、図２は本考案のタオル生地体のパイル糸の状態の図、図３は本考案のパイルタオル生地体のレーヨン糸束の状態・断面図である。
図１の本考案のタオル生地体の一部構造図に示す。本考案のタオル生地体は、パイル糸と地経糸、地経糸及び地緯糸により構成されている。
【実施例１】
【００２４】図１に示すように、パイル糸、地経糸及び地緯糸からなる織布のタオル生地において、下地の地経糸及び地緯糸を綿糸で撚り合わせて、パイル部におけるパイル糸をレーヨンのセルローズ繊維を主体にした繊維を撚り合わせてダブルパイル状構造を構成した横１４０ｍｍ、縦１４０ｍｍの寸法の正方形の生地体であった。【００２５】図１に示すようにパイル糸がセルローズの再生繊維のレーヨンであって、２本のパイル糸と生地の天然繊維の綿糸の２本の地経糸と地緯糸とを１組とし、前記パイル糸の左右に地経糸を配し、前記左右の地経糸と地緯糸とが綿の天然繊維であって、生地面に再生セルロース繊維とで撚り合わせて構成され、パイル糸が全体糸の５０％を占めて、地経糸及び地緯糸のタオル生地に再生セルロース繊維のパイル糸で織布生地に覆った状態で編製された。【００２６】パイル糸は、図２、３に示すように再生セルロース繊維がキュプラである前記超極細レーヨン系繊維の太さが、束状１３ミクロンの単糸繊度０．５デニールであって、織布生地のタオル生地に前記単糸の集束として３００ミクロンの太さの糸束を１ｍｍの高さの輪パイル状でダブル状態にした。【００２７】横１４０ｍｍ、縦１４０ｍｍの又正方体は、縁取りとして３ｍｍの幅にして、縁取りには再生セルロース繊維のキュプラである前記超極細レーヨン糸で括ったものであり、繊維色としてはブルーの濃淡色であった。これを顔、肌の化粧落としに使用した。結果は図５に示すように、容易に簡単に化粧が落とされた。しかしシルクの場合には落ちにくかった。
【実施例２】
【００２８】パイル糸、地経糸及び地緯糸からなる織布のタオル生地において、下地の地経糸及び地緯糸を綿糸で撚り合わせて、パイル部におけるパイル糸をダブルパイル状でレーヨンのセルローズ繊維を主体にする繊維を撚り合わせて構成された横１４０ｍｍ、縦９００ｍｍの長方系のタオル生地体であった。【００２９】実施例１と同様にパイル糸がセルローズの再生繊維のレーヨンであって、２本のパイル糸と生地の天然繊維の綿糸の２本の地経糸と地緯糸とを１組とし、前記パイル糸の左右に地経糸を配し、前記左右の地経糸と地緯糸とが綿の天然繊維であって、生地面に再生セルロース繊維とで撚り合わせて構成され、パイル糸が全体糸の４５％を占めて、地経糸及び地緯糸のタオル生地に再生セルロース繊維のパイル糸で織布生地に覆った状態で編製された。【００３０】パイル糸は、再生セルロース繊維がキュプラである前記超極細レーヨン系繊維の太さが、束状１０ミクロンの単糸繊度０．５デニールであって、織布生地のタオル生地に前記単糸の集束として２００ミクロンの太さの糸束を１ｍｍの高さのダブル状態パイルにした。【００３１】横１４０ｍｍ、縦９００ｍｍの長方体は、縁取りとして４ｍｍの幅にして、縁取りには再生セルロース繊維のキュプラである前記超極細レーヨン糸で括ったものであり、繊維色としてはピンクの濃淡色であった。これは汗取りなどの肌を拭くタオルとして使用した。この結果図６に示すように、肌には傷はつかなくて、布衣としとの効果は非常に優れていた。
【実施例３】
【００３２】本考案のタオルハンカチの実施例としては例えば、一辺が２６０ｍｍの正方形で形成されるタオルハンカチにおいて、パイル糸：超微細レーヨン繊維１４４本で７５デニールのレーヨン繊維を形成し、６０番手の綿糸とで撚り合わせて形成されるパイル糸、地経糸：綿糸の撚数５００ｔ／Ｍの１００デニールのキュプラ、地緯糸５：綿糸の撚数５００ｔ／Ｍの１００デニールのキュプラで構成した。【００３３】上記構成によるタオルハンカチは、超微細レーヨン繊維が複数本束ねて形成されたレーヨン繊維を２本パイル糸に用いているので、超微細レーヨン繊維の繊維間に微細な空隙部が形成され、前記空隙部が皮脂や汚れの吸着力、吸水性、放湿性を高め、さらに速乾性も有するものとなる。また、パイル糸及び地経糸を綿糸で構成しているので、吸水性が高く、肌に優しいものとなった。【００３４】さらに、地経糸及び地緯糸はキュプラで構成しているので、しなやかで、軽量なものとなり、透明のキュプラを用いることで、全体に透けるような美観を備え、かつ清潔感の備えたタオルハンカチを形成することができた。
【実施例５】
【００３５】実施例３のタオル生地体をプラスチックケースの表面の汚れを拭くために、使用した。結果は図７に示すように表面には傷は全く着かず、汚れは落ちた。しかしナイロンタオルを使用すると、表面に傷様のものが着いた。
【符号の説明】
【００３６】１    タオル生地体
２    パイル糸
２Ａ  表パイル糸
２Ｂ  裏パイル糸
３    地経糸Ａ
４    地経糸Ｂ
５    地緯糸Ａ
６    地緯糸Ｂ
７    綿糸
８    レーヨン糸
９    汚れ部（口紅つき状態）
１０  肌の変質部
１１  傷付き部
１２  変化なし正常状態部
１３  肌のしわ
【図１】
0003206216.tif 000003
【図２】
0003206216.tif 000004
【図３】
0003206216.tif 000005
【図４】
0003206216.tif 000006
【図５】
0003206216.tif 000007
【図６】
0003206216.tif 000008
【図７】
0003206216.tif 000009
【手続補正書】
【提出日】平成28年6月16日(2016.6.16)
【手続補正１】
【補正対象書類名】実用新案登録請求の範囲
【補正対象項目名】請求項３
【補正方法】変更
【補正の内容】
【請求項３】
パイル糸は、再生セルロース繊維がキュプラである前記レーヨン糸の太さが、束状１０〜１５ミクロンの単糸繊度０．１〜１．０デニールであって、織布生地のタオル生地に前記単糸の集束として２００〜５００ミクロンの太さの糸束を０．５〜２ｍｍの高さの輪状パイルでダブル状態にしていることを特徴とする請求項１、又は請求項２に記載の汚れ落としの優れたタオル生地体。